(57)【要約】      （修正有）【課題】既存の店舗にも特別に工事休業の必要もなく簡単に設置でき、店舗に入場した顧客に対して通路等の誘導効果、気分の高揚効果をもたらす優美な照明設備を提供する。【解決手段】店舗１の床面３に設置された島設備１６の間で当該島設備の長手方向に沿う通路の上方に弓形（アーチ）状に橋絡するＬＥＤ照明竿４ａ，４ｃ,…４ｎを設ける。このＬＥＤ照明竿を構成するＲＧＢ−ＬＥＤチップを搭載した多数のフルカラーＬＥＤテープの発光モードを様々に変化させ、かつ複数のＬＥＤ照明竿を連動あるいはシーケンシャルに発光させるようにした。【選択図】図１
0003207450.tif 000002
【実用新案登録請求の範囲】
【請求項１】
床面に複数の遊戯機を配置した島設備を有する遊戯ホールの天井側に設置して、単色光を含む多彩色光による照明を静的および/または動的に行う複数のＬＥＤ照明竿を用いた遊戯ホールＬＥＤ照明設備であって、
前記遊戯ホールの前記床面には、遊戯客やホールサービス員等が移動するための通路領域を有し、
前記島設備は、その頂部が前記遊戯ホールの天井の高さ以下に位置する如く前記通路領域の両側に沿って複数設置され、
前記遊戯機は前記島設備の外面に前記通路側に操作部が面する如く配置されてなり、
前記島設備の各対向する前記頂部の任意位置には、前記通路領域の長手方向に沿い所定の間隔を隔てて前記ＬＥＤ照明竿の一端を挿入して保持固定するブラケットをそれぞれ有し、
前記照明設備を構成する前記ＬＥＤ照明竿は、剛性かつ形状自立性を有する細長支持板に支持された多数のＲＧＢ−ＬＥＤチップを列状に搭載したＲＧＢ−ＬＥＤテープで構成され、
前記細長支持板の各一端を前記島設備の各対向する前記頂部の任意位置に有する前記ブラケットに保持固定されて前記通路領域の上方空間をアーチ状に橋絡してなることを特徴とする遊戯ホール用ＬＥＤ照明設備。
【請求項２】
前記ＬＥＤ照明竿は前記通路領域に沿って複数本設置してなることを特徴とする請求項１に記載の遊戯ホール用ＬＥＤ照明設備。
【請求項３】
前記ＬＥＤ照明竿は、その一端のみに前記ブラケットに挿入して保持固定する固定部を有し、他端に他のＬＥＤ照明竿と接続する接続端を有したＬＥＤ照明半竿とし、
前記２本のＬＥＤ照明半竿の前記接続端同士を接続して前記通路領域の上方空間をアーチ状に橋絡する１本のＬＥＤ照明竿としたことを特徴とする請求項１又は２に記載の遊戯ホール用ＬＥＤ照明設備。
【請求項４】
前記ＬＥＤ照明竿を構成する前記ＲＧＢ−ＬＥＤチップの発光モードを制御するＬＥＤコントローラを具備したことを特徴とする請求項１乃至３の何れかに記載の遊戯ホール用ＬＥＤ照明設備。
【請求項５】
前記ＲＧＢ−ＬＥＤテープはフレキシブルな絶縁ベースフィルムの上にＲＧＢ発光ＬＥＤチップを多数個搭載してなり、前記絶縁ベースフィルムの上側面に沿って駆動配線を有し、
前記駆動配線は、前記絶縁ベースフィルムの前記固定部近傍に搭載した集線部品に終端しており、
前記集線部品から前記コントローラおよび電源に接続するためのケーブルが引き出されていることを特徴とする請求項５に記載の遊戯ホール用照明設備。
【請求項６】
前記ＲＧＢ−ＬＥＤテープはフレキシブルな多層絶縁ベースフィルムの上にＲＧＢ発光ＬＥＤチップを多数個搭載してなり、前記多層絶縁ベースフィルムの内装にＬＥＤチップ駆動配線を有し、
前記集線部品から前記コントローラおよび電源に接続するためのケーブルが引き出されていることを特徴とする請求項５に記載の遊戯ホール用ＬＥＤ照明設備。
【請求項７】
前記ＬＥＤ照明竿を構成するＲＧＢ−ＬＥＤテープは、前記細長支持板に固定されるベース材と、このベース材の内底に固定された前記ＲＧＢ−ＬＥＤテープを覆って前記ベース材と嵌合する光拡散材のカバーからなる配線モールを有することを特徴とする請求項５に記載の遊戯ホール用ＬＥＤ照明設備。
【考案の詳細な説明】
【技術分野】
【０００１】
本考案は、娯楽施設などにおいて来場者の美的感情にアピールする照明設備に係り、特にパチンコやパチスロなどの店舗（遊戯ホール）に設置して好適な遊戯ホール用ＬＥＤ照明設備に関する。
【背景技術】
【０００２】
この種の店舗（遊戯ホール、以下単にホールと略記する場合もある）では、様々な照明装置による視覚効果や音響を用いた聴覚効果で華やかな雰囲気を演出して、顧客を誘引し、かつ楽しく遊戯できるようにしている。既知の照明は、天井あるいは島設備にスポットライトあるいは投光器などの装置を設置し、決まった照明パターンやホール内の状態（開店時、閉店時、大量出玉の発生、島の稼働状態、など）に応じて決められたモードで照明をコントロールするようにしたものが知られている。この種の従来技術を開示したものとしては、特許文献１、特許文献２、特許文献３などを挙げることができる。
【先行技術文献】
【特許文献】
【０００３】
【特許文献１】特開２００４−４１４９４号公報
【特許文献２】特開平０７−２９９２３８号公報
【特許文献３】特開平０８−１８７３５１号公報
【考案の概要】
【考案が解決しようとする課題】
【０００４】
従来の照明装置では、ホールへの顧客誘引、島設備ごとの稼働状態に応じた照明のコントロールに主眼が置かれ、簡単な構成を用いてホールに入場した後の顧客の誘導、通路を移動する顧客にダイナミックで楽しい雰囲気を十分に提供することまではあまり考慮されていない。先行技術の殆どは、その照明設備自体が大規模システムで構成されるものであるため、導入にあたっては店舗の一時休業も必要で、トータルとしてかなりのコスト高となり、既存の店舗に設置することは簡単でなかった。
【０００５】
本考案の目的は、既存の店舗にも特別に工事休業の必要もなく簡単に設置でき、店舗に入場した顧客に対して通路等の誘導効果、気分の高揚効果をもたらす優美な照明設備を提供することにある。
【課題を解決するための手段】
【０００６】
上記目的を達成するため、本考案は店舗の床面に設置された島設備の間で当該島設備の長手方向に沿う通路の上方に弓形（アーチ）状に橋絡する発光細条（ＬＥＤ照明竿）を設け、この発光細条を構成するＲＧＢ−ＬＥＤチップを搭載した多数のフルカラーＬＥＤテープの発光モードを様々に変化させ、かつ複数のＬＥＤ照明竿を個別に、又は連動させ、あるいはシーケンシャルに発光させるようにした。以下に本考案の代表的な構成を箇条書きで記述する。
【０００７】
（１）本考案に係る遊戯ホールＬＥＤ照明設備は、床面に複数の遊戯機を配置した島設備を有する遊戯ホールの天井側に設置して、単色光を含む多彩色光による照明を静的および／または動的に行う複数のＬＥＤ照明竿を用いた。
【０００８】
（２）前記遊戯ホールの前記床面には、遊戯客やホールサービス員等が移動するための通路領域を有する。
【０００９】
（３）前記島設備は、その頂部が前記遊戯ホールの天井の高さ以下に位置する如く前記通路領域の両側に沿って複数設置する。
【００１０】
（４）前記遊戯機は前記島設備の外面に前記通路側に操作部が面する如く配置する。
【００１１】
（５）前記島設備の各対向する前記頂部の任意位置には、前記通路領域の長手方向に沿い所定の間隔を隔てて前記ＬＥＤ照明竿の一端を挿入して保持固定するブラケット（土台）をそれぞれ有する。
【００１２】
（６）前記照明設備を構成する前記ＬＥＤ照明竿は、剛性かつ形状自立性を有する細長支持板に支持された多数のＲＧＢ−ＬＥＤチップを列状に搭載したＲＧＢ−ＬＥＤテープで構成する。
【００１３】
（７）前記細長支持板の各一端を前記島設備の各対向する前記頂部の任意位置に有する前記ブラケットに保持固定されて前記通路領域の上方空間をアーチ状に橋絡する。
【００１４】
（８）前記ＬＥＤ照明竿は、所定の間隔を持って前記通路領域に沿って複数本設置する。所定の間隔（距離）は、島設備に設ける遊戯機の台数、島設備の高さ、店舗の天井高さ、その発光色調、輝度などを考慮して適宜に選択する。
【００１５】
（９）前記ＬＥＤ照明竿は、その一端のみに前記ブラケットに挿入して保持固定する固定部を有し、他端に他のＬＥＤ照明竿と接続する接続端を有したＬＥＤ照明半竿とし、前記２本のＬＥＤ照明半竿の前記接続端同士を接続して前記通路領域の上方空間をアーチ状に橋絡する１本のＬＥＤ照明竿とする。所謂継ぎ足しは、島設備間の間隔に応じて、適宜の長さで上記接続端を両端に設けた更なるＬＥＤ照明半竿を用いることもできる。
【００１６】
（１０）前記ＬＥＤ照明竿を構成する前記ＲＧＢ−ＬＥＤチップの発光モードを制御するＬＥＤコントローラを具備する。
【００１７】
（１１）前記ＲＧＢ−ＬＥＤテープはフレキシブルな絶縁性のベースフィルムの上にＲＧＢ発光ＬＥＤチップを多数個搭載してなり、前記絶縁ベースフィルムの上側面に沿って駆動配線を有する。
【００１８】
（１２）前記駆動配線は、前記絶縁ベースフィルムの前記固定部近傍に搭載した集線部品に終端する。
【００１９】
（１３）前記集線部品から前記コントローラおよび電源に接続するためのケーブルが引き出されている。
【００２０】
（１４）前記ＲＧＢ−ＬＥＤテープはフレキシブルな多層で絶縁性のベースフィルムの上にＲＧＢ発光ＬＥＤチップを多数個搭載してなり、前記多層絶縁ベースフィルムの層に内装されたＬＥＤチップ駆動配線を有する。
【００２１】
（１５）前記集線部品から前記コントローラおよび電源に接続するためのケーブルが引き出されている。
【００２２】
（１６）前記ＬＥＤ照明竿を構成するＲＧＢ−ＬＥＤテープは、前記細長支持板に固定されるベース材と、このベース材の内底に固定された前記ＲＧＢ−ＬＥＤテープを覆って前記ベース材と嵌合する光拡散材のカバーからなる配線モールを有する。
【００２３】
なお、本考案は、上記の構成や後述する考案の詳細な説明における構成に限定されるものではなく、本考案の技術思想を逸脱することなく種々の変更が加納であることは言うまでもない。
【考案の効果】
【００２４】
本考案によれば、新規店舗は勿論のこと、既存の店舗にも特別に工事休業の必要もなく短時間で簡単に設置できる。店舗に入場した顧客に対して通路等の誘導効果、気分の高揚効果をもたらす優美な照明設備を提供することができる。
【図面の簡単な説明】
【００２５】
【図１】本考案に係る遊戯ホールＬＥＤ照明設備をパチンコの店舗に設置した状態の説明図である。
【図２】本考案に係る遊戯ホールＬＥＤ照明設備を構成するＲＧＢ−ＬＥＤテープの説明図である。
【図３Ａ】本考案に係る遊戯ホールＬＥＤ照明設備を構成する細長支持板の説明図である。
【図３Ｂ】本考案に係る遊戯ホールＬＥＤ照明設備を構成する細長支持板の中間接続部の説明図である。
【図４】本考案に係る遊戯ホールＬＥＤ照明設備を構成する配線モールの説明図である。
【図５】本考案に係る遊戯ホールＬＥＤ照明設備の配線例の説明図である。
【図６】本考案に係る遊戯ホールＬＥＤ照明設備を構成するＬＥＤ照明竿の断面図である。
【図７】本考案に係る遊戯ホールＬＥＤ照明設備を構成するＬＥＤ照明竿の固定部の説明図である。
【考案を実施するための形態】
【００２６】
以下、本考案に係る遊戯ホールＬＥＤ照明設備の実施の形態を実施例の図面を参照して詳細に説明する。
【００２７】
図１は、本考案に係る遊戯ホールＬＥＤ照明設備をパチンコの店舗に設置した状態の説明図である。図１における参照符号は以下のとおりである。１は遊戯ホール、１a,１ｂは島設備、２ａは遊戯機、２ｂは椅子、３は床面（通路）、３ａは天井、４（４ａ、４ｂ、４ｃ、・・４ｎ）はＬＥＤ照明竿である。図１には２つの島設備１a,１ｂを示し、両島設備の間の床に通路３がある。この通路の上方で、天井３ａの下方を横断し、当該島設備１ａ,１ｂの頂部にそれぞれ設けたブラケット１６に固定されてアーチ状に設置される。
【００２８】
図１では、ＬＥＤ照明竿４を遊戯機の１台置きに設置した状態を示したが、これに限るものでない。
【００２９】
図２は、本考案に係る遊戯ホールＬＥＤ照明設備を構成するＲＧＢ−ＬＥＤテープの説明図である。図１に示したＬＥＤ照明竿４は、アルミ材を好適とする可撓性の細長支持板９（図３で後述）にＲＧＢ−ＬＥＤテープ５を接着される。また、必要に応じて、このＲＧＢ−ＬＥＤテープ５を光拡散性の配線モール１１（図４で後述）に収納した状態で細長支持板９に取り付けされる。
【００３０】
図２において、ＲＧＢ−ＬＥＤテープ５は、フレキシブルな樹脂材の絶縁ベースフィルム５ａの表面に搭載された多数のＲＧＢ−ＬＥＤチップ５ｂと、当該絶縁ベースフィルム５ａの端部に搭載した集線部品６を有する。ＬＥＤチップ５ｂは絶縁ベースフィルム５ａの上側面に敷設された駆動配線（図示せず）で発光（白色から多彩なフルカラーまで）が制御される。この駆動配線は集線部品６でコントローラや駆動電源に接続するようになっている。なお、絶縁ベースフィルム５ａを多層配線の絶縁ベースフィルムで構成して、その内層配線を駆動配線とするのが好適である。
【００３１】
集線部品６からは平行ケーブル７ａが引き出され、コネクタ（例えば雄）８ａに接続している。例えば、図２の左側に示した図５で後述するコントローラあるいはリピーターに接続する平行ケーブル７ｂの端部に設けたコネクタ（例えば雌）８ｂを接続する。図２の右側に設けたコネクタ（例えば雄）８ａに接続するコネクタ（例えば雌）８ｂは隣接するＲＧＢ−ＬＥＤテープ５に接続する。
【００３２】
図３Ａは、本考案に係る遊戯ホールＬＥＤ照明設備を構成する細長支持板の説明図である。細長支持板９はアルミ材で製作した比較的剛性が高くかつ可撓性を有し、本考案の１実施例では、この細長支持板９の表面に図２で説明したＲＧＢ−ＬＥＤテープ５が直接に接着剤あるいは両面テープなどの接着手段で固定される。符号９ａはＲＧＢ−ＬＥＤ搭載部である。また、符号９ｂはＲＧＢ−ＬＥＤ搭載部９ａから延長した支持部で、図７で後述する態様で島設備の頂部に固定される。細長支持板９の幅は、反射板効果を大きくしたい場合には広くし、天井面に溶け込むイメージとした場合は狭くする、など、導入者の条件に応じて帰ることができる。
【００３３】
図３Ｂは、本考案に係る遊戯ホールＬＥＤ照明設備を構成する細長支持板の中間接続部の説明図である。細長支持板９をアーチの中間でつぎ足す構成の場合は、２枚の接続プレート１０の端部の背面に接続プレート１０を当て、ねじ穴９ｃにネジ１０ａを通して固定する。
【００３４】
図４は、本考案に係る遊戯ホールＬＥＤ照明設備を構成する配線モールの説明図である。この配線モールの使用は本考案の他の実施例であり、ＬＥＤ照明竿４の設置高さが比較的低く、ＲＧＢ−ＬＥＤチップ５ｂの発光光がまぶしいような場合にこの配線モールを用いる。本考案で使用される配線モールは、少なくとも表面側を構成するカバー１１ｂを半透明樹脂で構成するので、光拡散ンモールとも称する。
【００３５】
配線モール（光拡散モール）１１は、図３Ａに示した細長支持板９の表面に両面接着テープ等の接着手段１１eで固定されるベース１１ａと半透明樹脂で構成されたカバー（光拡散カバー）１１ｂからなる。ベース１１ａには下部係止片１１ｃが長手方向に２条形成され、カバー（光拡散カバー）１１ｂ側には上部係止片１１ｄが同様に長手方向に２条形成されており、両者の対応する係止片が噛み合うようになっている。その内部にＲＧＢ−ＬＥＤテープ５を収容する。
【００３６】
図５は、本考案に係る遊戯ホールＬＥＤ照明設備の配線例の説明図である。図５中、符号４はＬＥＤ照明竿、５はＲＧＢ−ＬＥＤテープ、９は細長支持板である。また、７ａ、７ｂ、８ａ、８ｂは図２で説明した部材と同じものである。図５では、島設備を符号１２で示すが、図１の符号１a、１ｂで示した島設備と同じものである。ＬＥＤ照明竿４は２つの島設備１２の間にある通路３をアーチ状に橋絡している。
【００３７】
この遊戯ホールＬＥＤ照明設備の専用電源１３には雷サージ保護器２０を介して商用電源から給電される。専用電源１３とＬＥＤ照明竿４の間にはコントローラ１４が接続されえており、ＲＧＢ−ＬＥＤテープ５に搭載されているＲＧＢ−ＬＥＤチップ５ｂを構成するＲ（赤）ＬＥＤ、Ｇ（緑）ＬＥＤ、Ｂ（青）ＬＥＤのそれぞれに印加する電流値を制御して多様な色彩光を出射させ、フルカラー照明を実行する。
【００３８】
コントローラ１４にはＬＥＤの点灯モードを多様な照明モードを実行するプログラムとこれらのプログラムを選択して実行する制御チップが格納されている。事前に設定された実行順序あるいは、管理者によって適宜に設定された手順に従って照明モードが実行される。このプログラムにより、一本のＬＥＤ照明竿４の照明光を、白色を含む同色とするか、当該ＬＥＤ照明竿４の長手方向に沿って順次に、あるいはランダムに、もしくはサイクリックにするかを任意に設定することができる。
【００３９】
図５に示した構成例では、二本のＬＥＤ照明竿４毎にリピーター１５が挿入されている。リピーター１５はコントローラ１４と同様の機能を有し、専用電源１３からの電源ラインを介してコントローラ１４と連携して照明を実行する。なお、コントローラ１４と各リピーター１５を専用の制御先で接続することもできる。
【００４０】
図６は、本考案に係る遊戯ホールＬＥＤ照明設備を構成するＬＥＤ照明竿の断面図である。図６に示したＬＥＤ照明竿は光拡散モール１１を使用した例の断面図である。本考案の遊戯ホールＬＥＤ照明設備は、この光拡散モール１１を使用しない構成も含む。なお、照明効果を考慮して、光拡散モール１１を複数のＬＥＤ照明竿で選択的に備えさせることもできる。
【００４１】
ＬＥＤ照明竿は、前期した可撓性の細長支持板９の表面に光拡散モール１１のベース１１aが接着剤あるいは両面テープ１１ｅで固定されている。ベース１１aにはその側縁に沿って一対の下部係止片１１cが形成されている。このベース１１aの表面にはＲＧＢ−ＬＥＤテープ５が接着剤あるいは両面テープで固定されている。
【００４２】
ＲＧＢ−ＬＥＤテープ５を覆うようにカバー１１ｂが取り付けられている。カバー１１ｂお端縁に沿って上部係止片１１ｄが形成されており、下部係止片１１ｃと係合することで固定されている。なお、下部係止片１１cおよび上部係止片１１ｄの形状構造はこれに限るものではなく、既知のものを用いることができる。
【００４３】
図７は、本考案に係る遊戯ホールＬＥＤ照明設備を構成するＬＥＤ照明竿の固定部の説明図である。図３で説明したように、可撓性の細長支持板９の端部には支持部９ｂが設けられている。一方、島設備の頂部には細長支持板９を固定するためのブラケット１６が取り付けられている。このブラケット１６は細長支持板９の支持部９ｂが嵌合する中空部１６ａを有する略平箱形状を有する。
【００４４】
-中空部１６ａの背板の一部が上方に突出して延長背部１６ｂを形成しており、中空部１６ａに細長支持板９の支持部９ｂを嵌入したときに支持部９ｂが自然なアーチを形成するようになっている。この延長背部１６ｂを細長支持板９側に若干傾斜させてもよい。
【００４５】
ブラケット１６の底部には島設備の頂部に固定するための固定部１６ｃが設けられている。このブラケット１６は、島設備の頂部を構成する構造材に応じてタップネジあるいはボルトナットで固定される。なお、図７に示したＬＥＤ照明竿は図４に示した光拡散モール（配線モール）を設けていないタイプである。
【産業上の利用可能性】
【００４６】
本考案はパチンコやパチスロ遊戯場に限るものではなく、各種の催事会場、産物販売会場、祭事場などに設置することができる。
【符号の説明】
【００４７】
１・・・遊戯ホール
１a,１ｂ,１２・・・島設備（島）
２ａ・・・遊戯機
２ｂ・・・椅子
３・・・床面（通路）
３ａ・・・天井
４（４ａ、４ｂ、４ｃ、・・４ｎ）・・・ＬＥＤ照明竿
５・・・ＲＧＢ−ＬＥＤテープ
５ａ・・・絶縁ベースフィルム
５ｂ・・・ＲＧＢ−ＬＥＤチップ
６・・・集線部品
７ａ,７ｂ・・・平行ケーブル
８ａ・・・コネクタ（例えば雄）
８ｂ・・・コネクタ（例えば雌）
９・・・可撓性の細長支持板
９ａ・・・ＲＧＢ−ＬＥＤ搭載部
９ｂ・・・支持部
１０・・・接続プレート
１１・・・配線モール（光拡散モール）
１１ａ・・・ベース
１１ｂ・・・カバー（光拡散カバー）
１１ｃ・・・下部係止片
１１ｄ・・・上部係止片
１１ｅ・・・接着手段
１３・・・専用電源
１４・・・コントローラ
１５・・・リピーター
１６・・・ブラケット
１６ａ・・・中空部
１６ｂ・・・延長背部
１６ｃ・・・固定部
２０・・・雷サージ保護器
【図１】
0003207450.tif 000003
【図２】
0003207450.tif 000004
【図３Ａ】
0003207450.tif 000005
【図３Ｂ】
0003207450.tif 000006
【図４】
0003207450.tif 000007
【図５】
0003207450.tif 000008
【図６】
0003207450.tif 000009
【図７】
0003207450.tif 000010